【手続補正書】
【提出日】平成21年8月19日(2009.8.19)
【手続補正１】
【補正対象書類名】特許請求の範囲
【補正対象項目名】全文
【補正方法】変更
【補正の内容】
【特許請求の範囲】
【請求項１】
外形が多角形を含む形状に形成された略環状の磁性体とこの磁性体より放射状に突出形成されそれぞれの先端に多数の誘導子を形成してなる複数の主極とで構成された固定子と、この固定子に対してエアギャップを介して回転自在に設けられ磁性を有する１対の回転子要素と両回転子要素で挟み込まれ軸方向に着磁された永久磁石とからなる単位回転子を２組軸方向に隣接させて構成された回転子とを備え、各単位回転子のそれぞれの回転子要素の外周面には複数の歯が形成され、各単位回転子の１対の回転子要素はそれぞれの歯が１／２ピッチ分ずらせて配置され、両回転子要素はそれぞれの永久磁石の着磁方向が逆になる向きで隣接する回転子要素の歯位置が一致するように配置されており、固定子及び回転子は軸方向両側から覆う一対のブラケットにより支持されてなる永久磁石式回転電機であって、
前記２組の単位回転子におけるそれぞれの永久磁石は、前記ブラケットの軸方向外側及び前記固定子の径方向外側を覆うヨークと、このヨークからブラケット，単位回転子の軸方向外側の回転子要素，単位回転子の永久磁石，単位回転子の軸方向内側の回転子要素，及び固定子を通して前記ヨークに至る着磁用磁路に磁束を発生させる着磁コイルとを用いて、同時に或いは時間差を設けて着磁されることを特徴とする永久磁石式回転電機。
【請求項２】
前記ブラケットの軸方向外側を覆うヨークは、一対のブラケットに対して一方のみを覆うものであり、前記着磁コイルの通電による着磁は前記一方のブラケット側の単位回転子の永久磁石に対して行われ、当該着磁後に前記ヨークを他方のブラケット側に反転対向させて着磁コイルの通電を行うことにより、他方のブラケット側の単位回転子の永久磁石に対して着磁を行うことを特徴とする請求項１に記載の永久磁石式回転電機。
【請求項３】
外形が多角形を含む形状に形成された略環状の磁性体とこの磁性体より放射状に突出形成されそれぞれの先端に多数の誘導子を形成してなる複数の主極とで構成された固定子と、この固定子に対してエアギャップを介して回転自在に設けられ磁性を有する１対の回転子要素と両回転子要素で挟み込まれ軸方向に着磁された永久磁石とからなる単位回転子を２組軸方向に隣接させて構成された回転子とを備え、各単位回転子のそれぞれの回転子要素の外周面には複数の歯が形成され、各単位回転子の１対の回転子要素はそれぞれの歯が１／２ピッチ分ずらせて配置され、両回転子要素はそれぞれの永久磁石の着磁方向が逆になる向きで隣接する回転子要素の歯位置が一致するように回転軸に支持されており、回転子の回転軸は軸方向両側から覆う一対のブラケットにより支持されている永久磁石式回転電機であって、
前記２組の単位回転子におけるそれぞれの永久磁石は、２組の単位回転子を回転軸に支持した状態で、前記単位回転子の軸方向外側及び径方向外側を覆うヨークと、このヨークから単位回転子の軸方向外側の回転子要素，単位回転子の永久磁石，単位回転子の軸方向内側の回転子要素を通して前記ヨークに至る着磁用磁路に磁束を発生させる着磁コイルとを用いて、同時に或いは時間差を設けて着磁されることを特徴とする永久磁石式回転電機。
【請求項４】
前記単位回転子を覆うヨークは、２組の単位回転子に対して一方のみを覆うと共に、この一方の単位回転子の軸方向内側の回転子要素の径方向外側を覆うものであり、前記着磁コイルの通電による着磁は前記一方の単位回転子の永久磁石に対して行われ、当該着磁後に前記ヨークを他方の単位回転子側に反転対向させて着磁コイルの通電を行うことにより、他方の単位回転子の永久磁石に対して着磁を行うことを特徴とする請求項３に記載の永久磁石式回転電機。
【手続補正２】
【補正対象書類名】明細書
【補正対象項目名】０００５
【補正方法】変更
【補正の内容】
【０００５】
本発明を実現するには以下の手段による。
「手段１」
外形が多角形を含む形状に形成された略環状の磁性体とこの磁性体より放射状に突出形成されそれぞれの先端に多数の誘導子を形成してなる複数の主極とで構成された固定子と、この固定子に対してエアギャップを介して回転自在に設けられ磁性を有する１対の回転子要素と両回転子要素で挟み込まれ軸方向に着磁された永久磁石とからなる単位回転子を２組軸方向に隣接させて構成された回転子とを備え、各単位回転子のそれぞれの回転子要素の外周面には複数の歯が形成され、各単位回転子の１対の回転子要素はそれぞれの歯が１／２ピッチ分ずらせて配置され、両回転子要素はそれぞれの永久磁石の着磁方向が逆になる向きで隣接する回転子要素の歯位置が一致するように配置されており、固定子及び回転子は軸方向両側から覆う一対のブラケットにより支持されてなる永久磁石式回転電機であって、前記２組の単位回転子におけるそれぞれの永久磁石は、前記ブラケットの軸方向外側及び前記固定子の径方向外側を覆うヨークと、このヨークからブラケット，単位回転子の軸方向外側の回転子要素，単位回転子の永久磁石，単位回転子の軸方向内側の回転子要素，及び固定子を通して前記ヨークに至る着磁用磁路に磁束を発生させる着磁コイルとを用いて、同時に或いは時間差を設けて着磁されることを手段とする永久磁石式回転電機。本発明に関する回転子は２組の単位回転子を軸方向に隣接させて構成されると表現したが、この場合、２組の単位回転子のそれぞれの隣接する回転子要素は一体に構成されていてもよい。すなわち、回転子を中央の回転子要素とこれを挟み込むように設けられた２個の永久磁石とこの永久磁石のそれぞれの外側に配置された回転子要素とから構成し、中央の回転子要素を両サイドに位置する回転子要素に対し軸方向積厚が２倍で歯位置が１／２ずれた構成であってもよい。
「手段２」
手段１において、前記ブラケットの軸方向外側を覆うヨークは、一対のブラケットに対して一方のみを覆うものであり、前記着磁コイルの通電による着磁は前記一方のブラケット側の単位回転子の永久磁石に対して行われ、当該着磁後に前記ヨークを他方のブラケット側に反転対向させて着磁コイルの通電を行うことにより、他方のブラケット側の単位回転子の永久磁石に対して着磁を行うことを手段とする永久磁石式回転電機。
「手段３」
外形が多角形を含む形状に形成された略環状の磁性体とこの磁性体より放射状に突出形成されそれぞれの先端に多数の誘導子を形成してなる複数の主極とで構成された固定子と、この固定子に対してエアギャップを介して回転自在に設けられ磁性を有する１対の回転子要素と両回転子要素で挟み込まれ軸方向に着磁された永久磁石とからなる単位回転子を２組軸方向に隣接させて構成された回転子とを備え、各単位回転子のそれぞれの回転子要素の外周面には複数の歯が形成され、各単位回転子の１対の回転子要素はそれぞれの歯が１／２ピッチ分ずらせて配置され、両回転子要素はそれぞれの永久磁石の着磁方向が逆になる向きで隣接する回転子要素の歯位置が一致するように回転軸に支持されており、回転子の回転軸は軸方向両側から覆う一対のブラケットにより支持されている永久磁石式回転電機であって、前記２組の単位回転子におけるそれぞれの永久磁石は、２組の単位回転子を回転軸に支持した状態で、前記単位回転子の軸方向外側及び径方向外側を覆うヨークと、このヨークから単位回転子の軸方向外側の回転子要素，単位回転子の永久磁石，単位回転子の軸方向内側の回転子要素を通して前記ヨークに至る着磁用磁路に磁束を発生させる着磁コイルとを用いて、同時に或いは時間差を設けて着磁されることを手段とする永久磁石式回転電機。
「手段４」
手段３において、前記単位回転子を覆うヨークは、２組の単位回転子に対して一方のみを覆うと共に、この一方の単位回転子の軸方向内側の回転子要素の径方向外側を覆うものであり、前記着磁コイルの通電による着磁は前記一方の単位回転子の永久磁石に対して行われ、当該着磁後に前記ヨークを他方の単位回転子側に反転対向させて着磁コイルの通電を行うことにより、他方の単位回転子の永久磁石に対して着磁を行うことを手段とする永久磁石式回転電機。